(57)【要約】【課題】壁面に設置された緑化装置に潅水装置を加えた緑化設備のうち潅水装置に掛る経費の削減が図れる緑化装置を用いて、壁面や急勾配な擁壁等でも雨水を用いた緑化を可能とし、景観向上が図れる壁面の緑化工法の提供。【解決手段】保水力の高い植生基盤土を内包した植生マットを三重に重ねて、１枚の植生マットに形成した三層による植生マットの植生基盤土層を壁面に形成し、これに草花や蔦類が植栽される背面に数ミリの穴が多数開いている植栽容器を一定間隔で取り付け、当該植栽容器や植生マットに任意間隔で雨水を受止める降水受翼を取り付けた壁面の緑化工法を提供する。【選択図】図４
2018064469.tif 000002
【特許請求の範囲】
【請求項１】
植生マットを３枚重ね、１枚の植生マットに形成した三層構成による植生マットを壁面に固定し、これに植栽容器を一定間隔で取り付け草花や蔦植栽等を植栽し、当該植栽容器や植生マットに任意間隔で雨水を受止める降水受翼を取り付けたことを特徴とする壁面の緑化工法。
【請求項２】
二等辺三角形状の底辺部中央から三角形頂点部までの縦長中心線から左右に区分される角度のついた折り目をつけ、頂点部付近左右に複数の抜け落ち防止の切り込みと縦長中心線部から先端部に金串を形成したことを特徴とする降水受翼。
【発明の詳細な説明】
【技術分野】
【０００１】
本発明は、３層による植生マットと給排水穴付植栽容器と降水受翼を用いた壁面の緑化工法に関するものである。
【背景技術】
【０００２】
一般的に壁面や擁壁は、コンクリートで被覆形成されている。このようなコンクリートで被覆形成された壁面は、周囲の環境と調和せず、景観上好ましいものとは言えない。さらに、このようなセメントを使用した壁面は、直射日光により高温となり周囲の気温を上昇させ、特に市街地においては、ヒートアイランド現象の一因となっている。
【０００３】
そこで、これを解消するためにコンクリート壁面下部の地面から植付けた蔦を外壁面に這わせて外壁面を緑化する方法や外壁面に若干の間隔を置いて張設したネットに這わせて外壁面を緑化するといった方法が従来から取られているが壁面下部の地面から植付けた蔦が外壁面を緑化するには、複数年の年月がかかるとともに部分的にしか緑化が進まないという問題点があった。
【０００４】
そこで、上記の問題点を解消する方法として、例えばシートの一部の裏面どおしが重なるように折りたたみ、出来た重ね部をシートの他の部分の表面にさらに重ねることでポケットが形成された壁面植栽マットを用いて壁面緑化を図る特許文献１や壁面の表面に沿ってボードを立設し、該ボード表面に複数の升状空間を形成する枠材を取り付け、該枠材に角目ネットを取り付けて、該角目ネットと前記ボード間の空間内に水苔を入れ、前記角目ネットを切って該水苔内に表面側から植物を植え付けて壁面の緑化を図る特許文献２の工法が開示されている。
【０００５】
しかし、上記の壁面緑化設備や壁面緑化方法等の種々の壁面緑化において、垂直な壁面に設置される緑化設備は、雨水等の自然水を受止める平面的な面積が狭うえ、垂直面に当たる雨水は植生基盤層に吸水されにくく潅水設備が不可欠な緑化方法のため、一般の平地緑化に比べコスト高である問題点がある。  
【先行技術文献】
【特許文献】
【０００６】
【特許文献１】特開２０１２−１４３２１１号広報
【特許文献２】特開２０１５−２２３１６８号広報
【発明の概要】
【発明が解決しようとする課題】
【０００７】
そこで、壁面に設置された緑化装置に潅水装置を加えた緑化設備のうち潅水装置に掛る経費の削減が図れる緑化装置を用いて、壁面や急勾配な擁壁等でも雨水を用いた緑化を可能とし、景観向上が図れる壁面の緑化工法の提供。
【課題を解決するための手段】
【０００８】
保水力の高い植生基盤土を内包した植生マットを三重に重ねて１枚の植生マットに形成した三層による植生マットの植生基盤土層を壁面に形成し、これに草花や蔦類が植栽される背面に数ミリの穴が多数開いている植栽容器を一定間隔で取り付け、当該植栽容器や植生マットに任意間隔で雨水を受止める降水受翼を取り付けた壁面の緑化工法を提供する。
【０００９】
植生マットは、保水力が高い人工土壌に有機肥料等が混合された混合土を腐食しにくいシート類でマット状に構成した腐食や破損に強い植生マットである。また植栽容器は、腐食しにくい格子状樹脂板で角型や半円錐形の植栽容器を形成し、該植栽容器内を土壌の流出を防ぎ水や植根を通す目合量のポリエステル製不織布で覆い、さらに植栽箱の背面部を除く底面部等を水や植根も通さないポリエステル不織布で覆って植栽容器とする。
【００１０】
雨水を受止め、植生基盤土層や植栽容器内に雨水を供給する降水受翼は、腐食しにくいアクリル板やＰＰ板を用いて長さ数十センチの二等辺三角形状に切り取り、底辺部中央から三角形頂点部までの縦長中心線から左右に区分される角度のついた折り目をつけ、縦長中心線部に水が集まるように加工し、頂点部付近の左右に抜け落ちを防ぐ鈎状の切り込みを形成して先端部とし、縦長中心線部から先端部に金串の刺し込み串を取り付けて降水受翼とする。
【発明の効果】
【００１１】
植生基盤土層を三層の植生マットで形成することにより、水分の蒸発を抑え保水期間が延びるとともに豪雨や霜柱等で基盤土が流失することもなく、長期に渡り植生基盤土の保持を可能とし、植栽容器に植栽された植物は、植生マットや植栽容器に取り付けた降雨受翼により生育に必要な水分が確保され、やがて植栽物の生育に伴い植栽容器の背面から植生マットの基盤土層に植物根が伸張し、新たな水分確保と強風等による飛散や倒木といったことも防止され、長期緑化が可能となる壁面の緑化工法である。
【図面の簡単な説明】
【００１２】
【図１】植生マットの構成を示す説明図である。
【図２】半円錐形植栽容器を示す説明図である。
【図３】降水受翼を示す斜視図である。
【図４】当緑化工法による壁面の緑化を示す断面図である。
【発明を実施するための形態】
【００１３】
以下、図面を参照して本発明の具体的な実施形態を詳述する。
【実施例】
【００１４】
図１は、壁面緑化において緑化の基盤となる植生基盤土層を形成する三層の植生マットの構成を示すものである。壁面緑化の植生基盤土となる三層の植生マット１は、いずれも腐食しにくく、植物の芽や根を通し、基盤土の流出を防止する材質で形成されており、壁面に密着する下層の植生マットとこの上に載る二層目の植栽マットは、いずれも下部よりポリエチレン製平織ネット１ａ、ポリエステル製不織布１ｂの順に重ねて底部を形成し、該ポリエステル製不織布１ｂの上に保水力の高い植生基盤土１ｃ（ココピート、水苔、バーク堆肥、ピートモスの混合土に有機肥料、遅効性肥料を添加した人工土壌）を敷き詰め、圧縮して数センチ厚の植栽基盤土１ｃに形成し、この上にポリエステル製不織布１ｂ、ポリエチレン製平織ネット１ａの順で重ね上部を形成し、底部と上部が一体化し植生基盤土のマット体内移動を抑え、構造体を堅持するように縦横所定間隔で縫製して腐食しにくい植栽マット体１とする。
【００１５】
二層目の植栽マットの上に載る三層目の植生マットは、下部よりポリエチレン製平織ネット１ａ、ポリエステル製不織布１ｂの順に重ねて底部を形成し、該ポリエステル製不織布１ｂの上に保水力の高い植生基盤土１ｃ（ココピート、水苔、バーク堆肥、ピートモスの混合土に有機肥料、遅効性肥料を添加した人工土壌）を敷き詰め、圧縮して数センチ厚の植栽基盤土１ｃに形成し、この上にポリエステル製不織布１ｂ、ポリエチレン製平織ネット１ａ、ポリエチレン製格子状ネット１ｄの順で重ね上部を形成し、底部と上部が一体化し植生基盤土のマット体内移動を抑え、構造体を堅持するように縦横所定間隔で縫製して腐食と破損のしにくい植栽マット体１とする。
【００１６】
上記で格子状ネットを形成した植生マットを三層目の表面になるように植生マットを重ね、一定間隔で三重の植生マットを結束固定して１枚の植生マットに形成する。これにより、外気に当たらない植生マットの基盤土層が形成され、植生マット内の水分蒸発が抑制され保水期間の延長が図れる。また、表面をポリエチレン製格子状ネットで覆ったことにより植生基盤土層を形成した植生マットが損傷しにくく長期に渡り植生基盤層が形成され長期緑化を可能としている。
【００１７】
更に三層目の上をポリエチレン製格子状ネットで覆ったことにより、植生マット表面はポリエチレン製平織ネットとポリエチレン製格子状ネット２種類のネットで覆われたことにより、植生マット面上に形成される植栽容器を掛かり止めしても、破損することのない三重の植生マットである。
【００１８】
図２は、図１で形成された三層の植生マットによる植栽基盤土層表面に掛り止固定される半円錐形植栽容器を示したものである。この半円錐形植栽容器２は、高さが１８センチ前後、上部Ｄ型開口部２ａの直径が１２センチ前後、下部Ｄ型底部２ｂの直径が３センチ前後を標準とし、腐食しにくい軽量なネット状の合成樹脂板２ｃで形成され、内側には水や植根を通し植生用土を通さない腐食しにくいポリエステル製不織布で覆い、更に背面部となる平面部を除いたＤ型面部の内側と底部に水や植根も通さない目付量のポリエステル製不織布で覆い、背面部に掛り止めが可能な掛かり止めフック２ｄが２本形成されたことを特徴とした半円錐形植栽容器２である。
【００１９】
なお、植栽容器は半円錐形に限ることはなく、植栽容器の背面部に植物根が伸長可能な穴を複数形成することが可能であれば、三角形や多角形等に形成された植栽容器でもよい。また植栽容器の背面に形成される穴の大きさは、植物根が伸長可能な直径数ミリ穴とし、植生土が流出せず植物根が伸長可能な空隙があり、腐食しにくいポリエステル製不織布で内側から穴部を覆い植栽容器とする。
【００２０】
図３は、植生基盤土層や植栽容器に雨水を給水する降水受翼を示すものである。降水受翼３は、軽量で破損や腐食がしにくいＰＰ板等とステンレス製金串を用いて適宜の大きさで形成された降水受翼３である。雨水を収集する降水受翼３は、ＰＰ板を長さ数十センチの二等辺三角形状にカットし、底辺部中央３ａから三角形先端部３ｂまでの縦長中心線３ｃから左右に区分される角度のついた水が集まる折り目をつけ、先端部３ｂ付近の左右に抜け落ち防止の鈎状切り込み３ｄを形成して降水受翼の先端部３ｂとし、縦長中心線３ｃ部から先端部に刺し込み金串３ｅを接着固定して降水受翼３とする。
【００２１】
なお、降水受翼は軽量で腐蝕しにくい素材であればプラ板やアクリル板等で形成してもよい。また、降水受翼の大きさは長さ１５〜３０センチ・幅が１０〜２０センチを標準とし、形は上記の形にこだわらず雨水を受止める形であれば四角形や楕円形等でも良く、色合いも透明から緑・黒・赤等壁面緑化の植物や建物にマッチした色を用いて形成される降水受翼である。
【００２２】
図４は、本工法で壁面緑化を施工した断面図である。始めに、三層からなる植生マット１を壁面にオールアンカー４を用いて固定し、壁面に植生マット１による植生基盤土層を形成し、当該植生基盤土層表面に一定間隔を置いて半円錐形植栽容器２を配置し、半円錐形植栽容器２に附帯している掛り止めフック２ｄを用いて該半円錐形植栽容器２を掛り止め固定する。また、打設されているオールアンカー４の頭部４ａ部分にステンレスワイヤー５を固定し、該ステンレスワイヤー５にて半円錐形植栽容器２の上部部分を結束固定して落下防止を図る。
【００２３】
植生基盤土層に固定した半円錐形植栽容器２に植生用土とともに草花や蔦等の植物６を植栽し、該半円錐形植栽容器２と植生基盤土層の任意個所に雨水をキャッチし、植栽容器内や植生基盤土層に雨水を給水する降水受翼３を取り付けた壁面の緑化工法である。なお、植生基盤土層等に刺し込み取り付けられた降水受翼は、先端部に引き抜け防止の鈎を形成しているので飛散防止が図られた降水受翼３である。
【００２４】
上記で説明した壁面の緑化工法は、保水力の高い植生基盤土を内包した植生マットを３層に重ねた植生基盤土層を形成し、下層基盤層の水分蒸発を抑制して長期的な保水を可能とした植生基盤土層に、更に雨水を受止め植生基盤土層や植栽容器内に雨水を供給する降水受翼を複数取り付けたことにより、潅水装置を使用しなくても雨水による緑化を可能とする壁面の緑化工法である。
【００２５】
また、背面が格子状や複数の穴を形成した植栽容器を植生基盤土層に密着固定することにより、植生基盤土層から半円錐形植栽容器等の植栽容器内への水分補給及び植栽された植物が成長に伴い植物根が植栽容器内から植栽基盤土層に伸長生育し、強風や振動で植栽物が倒伏することもなく長期緑化が望める。
【産業上の利用可能性】
【００２６】
本工法は、潅水装置が設置不可能な壁面の早期緑化と長期緑化を可能とする緑化工法であり、周囲の自然環境調和と景観の保全を図り、ヒートアイランド現象の発生を防止できる自然環境の復元工法として今後利用される可能性の高い壁面の緑化工法である。
【符号の説明】
【００２７】
１    植生マット
１ａ  平織ネット
１ｂ  不織布
１ｃ  植生基盤土
１ｄ  格子状ネット
２    半円錐形植栽容器
２ａ  上部Ｄ型開口部
２ｂ  下部Ｄ型底部
２ｃ  合成樹脂板
２ｄ  係り止めフック
３    降水受翼
３ａ  底辺部中央
３ｂ  先端部
３ｃ  縦長中心線
３ｄ  鈎状切り込み
３ｅ  金串
４    オールアンカー
４ａ  頭部
５    ステンレスワイヤー
６    植物
【図１】
2018064469.tif 000003
【図２】
2018064469.tif 000004
【図３】
2018064469.tif 000005
【図４】
2018064469.tif 000006